(57)【要約】      （修正有）【課題】使用感及び歯磨き効率を高く維持しつつ携帯時にかさばらない携帯用歯ブラシを提供する。【解決手段】ブラシ毛２３が植設されたヘッド部２５と、先端にヘッド部が取り付けられた棒状の支持棒部２７と、を有してなる歯ブラシ本体２１と、内部空間を有する中空の把持部３１であって、支持棒部の基端が該内部空間に収容されると共にヘッド部が突出した状態で支持棒部をスライド可能に貫通させる貫通孔を有する把持部と、支持棒部が貫通孔に対する少なくともいずれかのスライド位置において貫通孔から突出した歯ブラシ本体の部分を覆う、把持部に着脱自在に取り付けられるキャップ部６１とを備えてなる。【選択図】図２
0003159578.tif 000002
【実用新案登録請求の範囲】
【請求項１】
ブラシ毛が植設されたヘッド部と、先端にヘッド部が取り付けられた棒状の支持棒部と、を有してなる歯ブラシ本体と、
内部空間を有する中空の把持部であって、支持棒部の基端が該内部空間に収容されると共にヘッド部が突出した状態で支持棒部をスライド可能に貫通させる貫通孔を有する把持部と、
支持棒部が貫通孔に対する少なくともいずれかのスライド位置において貫通孔から突出した歯ブラシ本体の部分を覆う、把持部に着脱自在に取り付けられるキャップ部と、を備えてなる、携帯用歯ブラシ。
【請求項２】
支持棒部が貫通孔に対する所定のスライド位置において、支持棒部が把持部に対して固定されるものである、請求項１に記載の携帯用歯ブラシ。
【請求項３】
支持棒部が、先端方向に向かって幅が先細りとなる先細部分を有してなり、
前記所定のスライド位置において、貫通孔の内面が先細部分に当接し、先細部分が貫通孔に対してさらに先端方向に移動することを禁止するものである、請求項２に記載の携帯用歯ブラシ。
【請求項４】
前記所定のスライド位置において、貫通孔の内面が支持棒部の外面に面接触するものである、請求項２又は３に記載の携帯用歯ブラシ。
【請求項５】
把持部が、貫通孔の内面を形成し支持棒部に貫脱可能なスリーブと、支持棒部が貫通したスリーブを着脱自在に内嵌する嵌入孔を有する本体部と、を含んでなり、
嵌入孔からスリーブを取り外した状態において、支持棒部が嵌入孔から抜き取り可能なものである、請求項１乃至４のいずれか１に記載の携帯用歯ブラシ。
【請求項６】
スリーブが、スリーブに貫入される支持棒部が連続する方向に形成された分断部分を少なくとも１以上有するものである、請求項５に記載の携帯用歯ブラシ。
【請求項７】
把持部が、スリーブを前記内部空間から抜き取ることができる前記内部空間と外部空間とを連通させる連通口を有してなる、請求項５又は６に記載の携帯用歯ブラシ。
【請求項８】
連通口に着脱自在な開閉蓋を把持部が有するものである、請求項７に記載の携帯用歯ブラシ。
【請求項９】
把持部とキャップ部とのいずれか一方の外周面に形成された雄ネジ部と、いずれか他方の内周面に形成された雌ネジ部と、が互いに螺合することで、把持部にキャップ部が着脱自在に取り付けられるものである、請求項１乃至８のいずれか１に記載の携帯用歯ブラシ。
【考案の詳細な説明】
【技術分野】
【０００１】
本考案は、携帯用歯ブラシに関し、より詳細には、歯磨きに使用する時は十分な長さとすると共に、歯磨きに使用しない時は長さを短くすることができることで、歯磨きしやすく（十分な長さとする）かつ携帯時にかさばらない（長さを短くする）携帯用歯ブラシに関する。
【背景技術】
【０００２】
歯周病、虫歯及び口臭の防止等のため、外出先における歯磨きに使用する携帯用歯ブラシは様々なものが提案されてきた（例えば、特許文献１参照）。
特許文献１には、外出先で使用される携帯用歯ブラシにおいては「外出先などでは水を十分使用できないようなケ−スが多く、そのような場合には、使用後にブラシ毛４を十分に洗浄できず、衛生上の問題があるという課題」（特許文献１、発明の詳細な説明中、段落番号０００３）に鑑みてなされたものであり、具体的には「携帯用歯ブラシを中空体からなる握り部２０とキャップとで構成し、表面にブラシ１７を植設したブラシ本体１５を握り部２０の先端部に形成したブラシ支持部１３の先端の突起１８に着脱自在に取り付ける構成により、歯ブラシを使い捨て可能にする一方、握り部２０の内部にスペア用ブラシ本体１５を収納する構成により、複数回の使用を可能にした。」（特許文献１、要約の解決手段）ものが開示されている。
【０００３】
このような特許文献１の「携帯用歯ブラシは、ブラシ本体が携帯用歯ブラシの本体に対して着脱自在な構成であることから、ブラシ本体を使い捨て方式にして、つまり使用済みのブラシ本体を携帯用歯ブラシの本体から簡単に取り外して捨ててしまうことができるので、衛生上の課題を解決できる。また、ブラシ支持部１３はキャップ３０でカバ−されているから携帯用歯ブラシを清潔状態を保持でき、しかも全体形状が偏平な小判型でコンパクトな形状であるから、たとえば衣服のポケットなどに挿入し、ポケットの縁部などにフック３１を引っかけて携行することができる。さらに、握り部２０の内部に形成されている収納スペ−ス２９内にスペア用の複数個のブラシ本体１５が納められているので、複数回の使用が可能である。」（特許文献１、発明の詳細な説明中、段落番号０００７）。
【先行技術文献】
【特許文献】
【０００４】
【特許文献１】特開２００６−２３９４５１号公報（例えば、要約、段落番号０００１〜０００７、第１図、第２図等）
【考案の概要】
【考案が解決しようとする課題】
【０００５】
特許文献１の携帯用歯ブラシによれば、使用後にブラシ毛４を十分に洗浄できないような場合であっても、ブラシ本体を使い捨て方式にすることで衛生上の課題を解決することができるが、握り部２０とその先端部に形成したブラシ支持部１３とは一体形成されており、これらがなす長さが長いことから、特許文献１の携帯用歯ブラシの携帯性を低下（握り部２０とブラシ支持部１３とを含む部分が長さが長く、かさばるため携帯時に邪魔になる。）させる問題を生じ得る。
一方、携帯用歯ブラシの使用者が手で把持する握り部２０と、ブラシ本体１５を支持するブラシ支持部１３と、は携帯用歯ブラシの使用感や歯磨きの効率を一定の水準に保つためには、あまり短くすることはできない。
そこで、本考案では、使用感及び歯磨き効率を高く維持しつつ携帯時にかさばらない携帯用歯ブラシを提供することを目的とする。
【課題を解決するための手段】
【０００６】
本考案の携帯用歯ブラシ（以下、「本歯ブラシ」という。）は、ブラシ毛が植設されたヘッド部と、先端にヘッド部が取り付けられた棒状の支持棒部と、を有してなる歯ブラシ本体と、内部空間を有する中空の把持部であって、支持棒部の基端が該内部空間に収容されると共にヘッド部が突出した状態で支持棒部をスライド可能に貫通させる貫通孔を有する把持部と、支持棒部が貫通孔に対する少なくともいずれかのスライド位置において貫通孔から突出した歯ブラシ本体の部分を覆う、把持部に着脱自在に取り付けられるキャップ部と、を備えてなる、携帯用歯ブラシである。
【０００７】
本歯ブラシは、歯ブラシ本体と、把持部と、キャップ部と、を備えてなる。
歯ブラシ本体は、ブラシ毛が植設されたヘッド部と、先端にヘッド部が取り付けられた棒状の支持棒部と、を有してなる。
把持部は、内部空間を有する中空のものであり、歯ブラシ本体の支持棒部を貫通させる貫通孔を有する。把持部が有する貫通孔は、歯ブラシ本体の支持棒部の基端（ヘッド部が取り付けられた端とは反対の端）が把持部の該内部空間に収容されると共に歯ブラシ本体のヘッド部が突出した状態で支持棒部をスライド可能に貫通させる。
キャップ部は、把持部に着脱自在に取り付けられ、把持部に取り付けられた状態において把持部の前記貫通孔から突出した歯ブラシ本体の部分を覆う。なお、把持部に取り付けられたキャップ部は、支持棒部が該貫通孔に対する少なくともいずれか（少なくとも１）のスライド位置において該貫通孔から突出した歯ブラシ本体の部分を覆うことができるものであればよく、支持棒部が該貫通孔に対する２以上のスライド位置において該貫通孔から突出した歯ブラシ本体の部分を覆うことができるものである必要はない（無論、支持棒部が該貫通孔に対する２以上のスライド位置において該貫通孔から突出した歯ブラシ本体の部分を覆うことができるものであってもよい。）。
かかる本歯ブラシによれば、携帯時には支持棒部が把持部の該内部空間にできる限り収容されるように（支持棒部が該貫通孔から突出する長さができるだけ小さくなるように引っ込める）該貫通孔に対して支持棒部をスライドさせた状態でキャップ部を把持部に取り付け、貫通孔から突出した歯ブラシ本体の部分をキャップ部によって覆う。そして、本歯ブラシを用いて歯磨きする時には、キャップ部を把持部から取り外し、ヘッド部ができるかぎり突出するように（支持棒部が該貫通孔から突出する長さができるだけ大きくなるように引き出す）該貫通孔に対して支持棒部をスライドさせた状態で歯磨きをすればよい。このように歯磨きに本歯ブラシを使用する際には、ヘッド部及び支持棒部を該貫通孔から突出させることで本歯ブラシの使用感や歯磨きの効率を向上させると共に、本歯ブラシを携帯する際には、支持棒部が該貫通孔から突出する長さを小さくするように支持棒部を引っ込めた状態でキャップ部を把持部に取り付けることでかさばらずコンパクトな状態で携帯できるので、本歯ブラシは、使用感及び歯磨き効率を高く維持しつつ携帯時にかさばらない携帯用歯ブラシである。
【０００８】
本歯ブラシにおいては、支持棒部が貫通孔に対する所定のスライド位置において、支持棒部が把持部に対して固定されるもの（以下、「スライド固定本歯ブラシ」という。）であってもよい。
こうすることで本歯ブラシを使用する際、本歯ブラシの使用感や歯磨きの効率を向上させることができる支持棒部の貫通孔に対するスライド位置（前記所定のスライド位置。通常、支持棒部を該貫通孔から最も突出させたスライド位置である。）において支持棒部を把持部に対して固定することができるので、本歯ブラシを用いて歯磨きする時に該スライド位置を保持することができ、本歯ブラシを用いた歯磨きにおける使用感や歯磨きの効率を向上させた状態を保持することができる。
【０００９】
スライド固定本歯ブラシにおいては、支持棒部が、先端方向に向かって幅が先細りとなる先細部分を有してなり、前記所定のスライド位置において、貫通孔の内面が先細部分に当接し、先細部分が貫通孔に対してさらに先端方向に移動することを禁止するものであってもよい。
歯ブラシ本体の支持棒部は、先端方向（ヘッド部に向かう方向）に向かって幅（支持棒部の長手方向に対して垂直方向に沿った寸法）が減少（先細り）する先細部分を通常有しており、このため、前記所定のスライド位置（本歯ブラシの使用感や歯磨きの効率を向上させることができるスライド位置）において、この先細部分に貫通孔の内面が当接することで、この先細部分が貫通孔に対してさらに先端方向（ヘッド部方向）に移動することを簡単な構成により確実に禁止し、前記所定のスライド位置において支持棒部を把持部に対して確実に固定することができる。
【００１０】
スライド固定本歯ブラシにおいては、前記所定のスライド位置において、貫通孔の内面が支持棒部の外面に面接触するものであってもよい。
本歯ブラシの使用感や歯磨きの効率を向上させる前記所定のスライド位置において、貫通孔の内面が支持棒部の外面に面接触することにより、支持棒部が把持部に対して固定されるようにすれば、貫通孔の内面が支持棒部の外面に点接触や線接触することで支持棒部が把持部に対して固定される場合に比し、把持部の貫通孔に対して支持棒部がぐらつくことを防止又は減少させ支持棒部を把持部に対して確実に固定することで、本歯ブラシの信頼性や本歯ブラシを用いた歯磨きにおける使用感や歯磨きの効率を一層向上させることができる。
【００１１】
本歯ブラシにおいては、把持部が、貫通孔の内面を形成し支持棒部に貫脱可能なスリーブと、支持棒部が貫通したスリーブを着脱自在に内嵌する嵌入孔を有する本体部と、を含んでなり、嵌入孔からスリーブを取り外した状態において、支持棒部が嵌入孔から抜き取り可能なもの（以下、「スリーブ使用本歯ブラシ」という。）であってもよい。
本歯ブラシの歯ブラシ本体（とりわけヘッド部に植毛されたブラシ毛）は、本歯ブラシが歯磨きに使用されることで傷むので、必要に応じて交換できるようにしてもよい。本歯ブラシにおいて歯ブラシ本体を交換可能に構成する方法は種々存するが、把持部を、嵌入孔を有する本体部と、該嵌入孔に着脱自在で貫通孔の内面を形成するスリーブと、を含んで構成し、スリーブは支持棒部を貫脱（支持棒部を貫入したり、貫入した支持棒部を抜き取る）可能なものとし、支持棒部が貫通したスリーブを本体部の嵌入孔は着脱自在に内嵌する。そうすれば支持棒部が貫通したスリーブを嵌入孔から取り外した状態において、支持棒部を嵌入孔から抜き取り可能（支持棒部が貫通するスリーブ内面（貫通孔の内面）よりも嵌入孔は大きいので支持棒部は嵌入孔に容易に抜き取ったり嵌入することができる。）に形成することは容易に行うことができるので、歯ブラシ本体を把持部から取り外したり把持部に取り付けたりを自由に行うことができ、本歯ブラシにおいて歯ブラシ本体を容易に交換することができる。
【００１２】
スリーブ使用本歯ブラシにおいて、スリーブが、スリーブに貫入される支持棒部が連続する方向に形成された分断部分を少なくとも１以上有するものであってもよい。
スリーブ使用本歯ブラシにおいて、支持棒部を貫脱可能なスリーブにするためには、スリーブを十分な柔軟性を有する材質（例えば、ゴムや樹脂）によって形成したり、スリーブに貫入される支持棒部が連続する方向に形成された分断部分を少なくとも１以上（例えば、分断部分が１であればスリーブは１ピースであるが、分断部分が２であればスリーブは２ピースとなる。分断部分が３以上であってもよい。）有するようにしてもよい。こうすることで分断部分を拡げることで、スリーブに支持棒部を容易に貫脱（支持棒部を貫入したり、貫入した支持棒部を抜き取る）可能にすることができる。
【００１３】
スリーブ使用本歯ブラシにおいて、把持部が、スリーブを前記内部空間から抜き取ることができる前記内部空間と外部空間とを連通させる連通口を有してなるもの（以下、「連通口保有本歯ブラシ」という。）であってもよい。
把持部が、貫通孔の内面を形成し支持棒部に貫脱可能なスリーブと、支持棒部が貫通したスリーブを着脱自在に内嵌する嵌入孔を有する本体部と、を含んでなり、嵌入孔からスリーブを取り外すことができるようにする際には、嵌入孔からスリーブが不意に脱落することを防止するため、嵌入孔からスリーブを外方（外部空間側）に向かって外すことができるようにするよりも、嵌入孔からスリーブを内方（前記内部空間側）に向かって外すことができるようにする方が安全性が高い場合が多い。このように嵌入孔からスリーブを内方（前記内部空間側）に向かって外すようにすれば、嵌入孔から外したスリーブを前記内部空間から抜き取ったり、再びスリーブを前記内部空間を経由して嵌入孔に内嵌したりするために、スリーブを前記内部空間から抜き取ることができる前記内部空間と外部空間とを連通させる連通口を把持部が有するようにしてもよい。
【００１４】
連通口保有本歯ブラシの場合、連通口に着脱自在な開閉蓋を把持部が有するものであってもよい。
前記内部空間と前記外部空間とを連通させる連通口は、前述の如く、嵌入孔から外したスリーブを前記内部空間から前記外部空間へ抜き取ったり、再びスリーブを前記外部空間から前記内部空間を経由して嵌入孔に内嵌する際に、前記内部空間と前記外部空間とを連通させるために要するが、それ以外は必要ない。このため必要に応じて連通口を開閉することができる連通口に着脱自在な開閉蓋を把持部が有するようにしてもよい。
【００１５】
本歯ブラシにおいては、把持部とキャップ部とのいずれか一方の外周面に形成された雄ネジ部と、いずれか他方の内周面に形成された雌ネジ部と、が互いに螺合することで、把持部にキャップ部が着脱自在に取り付けられるものであってもよい。
こうすることで、外周面に形成された雄ネジ部と、内周面に形成された雌ネジ部と、が互いに螺合することで、把持部にキャップ部が着脱自在に取り付けられるので、把持部にキャップ部を容易かつ確実に着脱自在に取り付けることができる。なお、把持部の外周面に雄ネジ部が形成される場合であれば、キャップ部の内周面に雌ネジ部が形成され（前記いずれか一方が把持部であり、前記いずれか他方がキャップ部である。）、キャップ部の外周面に雄ネジ部が形成される場合であれば、把持部の内周面に雌ネジ部が形成される（前記いずれか一方がキャップ部であり、前記いずれか他方が把持部である。）。
【図面の簡単な説明】
【００１６】
【図１】本考案の一実施形態の携帯用歯ブラシ（本歯ブラシ）を示す図である。
【図２】図１（ｂ）のＤ−Ｄ断面図である。
【図３】ブッシュ４１（ブッシュ４１ａ、４１ｂ）を示す図である。
【図４】キャップ部及びプラグを取り外したところを示す図である。
【図５】キャップ部及びプラグを取り外したところを示す断面図である。
【図６】図５の一部拡大断面図である。
【図７】図６の断面図である。
【図８】図６の状態から歯ブラシ本体を一杯に引き出したところを示す図である。
【図９】図８の断面図である。
【図１０】歯ブラシ本体の交換作業を説明する図である。
【考案を実施するための形態】
【００１７】
本考案の実施の形態を図面を参照して詳述するが、本考案はこれに限定されるものではない。
【００１８】
図１は、本考案の一実施形態の携帯用歯ブラシ（本歯ブラシ）１１を示す図（詳しくは、図１（ａ）は平面図であり、図１（ｂ）は正面図（図１（ａ）中の矢印Ｇ方向から見たところを示している。）である。）であり、図２は図１（ｂ）のＤ−Ｄ断面図であり、図３は後述するブッシュ４１（ブッシュ４１ａ、４１ｂ）を示す図（詳しくは、図３（ａ）は正面図であり、図３（ｂ）は左側面図（図３（ａ）中の矢印Ｅ方向から見たところを示している。）であり、図３（ｃ）は右側面図（図３（ａ）中の矢印Ｆ方向から見たところを示している。）である。）であり、図４は後述するキャップ部６１及びプラグ５１を取り外したところを示す図（図１（ｂ）の矢印Ｙ方向から見たところを示している。）であり、図５は後述するキャップ部６１及びプラグ５１を取り外したところを示す断面図（図２と同様の断面を示している。）であり、図６は図５の一部拡大断面図（図２も同様の状態）であり、そして図７は図６の断面図（詳しくは、図７（ａ）は図６のＡ−Ａ断面図であり、図７（ｂ）は図６のＢ−Ｂ断面図である。）である。図１乃至図７を参照して、本歯ブラシ１１について説明する。なお、図７（ｂ）が示す図６のＢ−Ｂ断面は、一対のブッシュ４１ａ、４１ｂの合わせ目４９に丁度沿っているので、図７（ｂ）においてはブッシュ４１ｂは断面となっていない。
本歯ブラシ１１は、大まかには、歯ブラシ本体２１と、把持部３１と、キャップ部６１と、を備えてなる。
【００１９】
歯ブラシ本体２１は、多数の毛によって構成されたブラシ毛２３と、ブラシ毛２３が植設されたヘッド部２５と、先端にヘッド部２５が取り付けられた棒状の支持棒部２７と、を有してなる。なお、ここではヘッド部２５と支持棒部２７とは樹脂材料によって一体に形成されている。なお、以上のような歯ブラシ本体２１の構成は、通常市販の歯ブラシと同様のものである。
棒状の支持棒部２７は、上底の半径ｒ１及び下底の半径ｒ２である直円錐台形状をした円錐台部分２７ａ（但し、ｒ１＜ｒ２）と、円錐台部分２７ａの上底（径が小さい半径ｒ１側）とヘッド部２５とを連結する連結部分２７ｂと、を一体に備えている。なお、連結部分２７ｂは、円錐台部分２７ａが形成する円錐台の軸に所定の角度（ここでは約２０度）で交わる直線を軸とする円柱形状を有している。以下、円錐台部分２７ａが形成する（直）円錐台の軸（該円錐台の上底がなす円形の中心と、該円錐台の下底がなす円形の中心と、を結んだ線分をいう。）を含む仮想上の直線を基準直線といい、直線Ｌ（図中、点線）として示す。
【００２０】
把持部３１は、把持本体部３３と、ブッシュ４１と、プラグ５１と、を有してなる。
【００２１】
ブッシュ４１は、両端が開放された中空の筒状部材を直線Ｌを含む平面にて切断したような形状の一対のブッシュ４１ａ、４１ｂ（いずれも柔軟性を有する樹脂材料により形成される）からなる。該筒状部材の外面は、直線Ｌを軸とする半径ｒｂａ１の直円柱の側面と同様の面である大外周部と、直線Ｌを軸とする半径ｒｂａ２の直円柱の側面と同様の面である小外周部と、を有している（なお、ｒｂａ１＞ｒｂａ２）。そして、該筒状部材の内面（内部空間を規定する面）は、直線Ｌを軸とする半径ｒｂｂ１の直円柱の側面と同様の面である大内周部（大外周部の内面を形成している）と、直線Ｌを軸とする（直）円錐台の側面と同様の面である小内周部（主として小外周部の内面を形成している）と、を有している。小内周部が側面を形成する（直）円錐台は、上底の半径ｒｂｂ２ａ及び下底の半径ｒｂｂ２ｂであり（なお、ｒｂｂ２ａ＜ｒｂｂ２ｂ。半径ｒｂｂ２ｂの下底が大内周部側に存している。ｒｂｂ２ｂ＜ｒｂａ２。ｒｂｂ１＞ｒｂｂ２ｂ。ｒｂｂ１＜ｒｂａ１）、小内周部は円錐台部分２７ａを内嵌することができる（ｒ１＜ｒｂｂ２ａ＜ｒｂｂ２ｂ＜ｒ２）と共に、円錐台部分２７ａの所定部分は小内周部の略全面にぴったり当接することができる形状にされている（円錐台部分２７ａの該所定部分は、上底の半径ｒｂｂ２ａ及び下底の半径ｒｂｂ２ｂの直線Ｌを軸とする（直）円錐台形状（小内周部と略同じ形状）をしている。）。このような両端が開放された中空の該筒状部材を直線Ｌを含む平面にて切断して得られる一方がブッシュ４１ａであり他方がブッシュ４１ｂであるので、ブッシュ４１ａとブッシュ４１ｂとを該平面にて組み合わせると該筒状部材を形成することができる。
図１、図２、図４〜図７における状態では、ブッシュ４１ａとブッシュ４１ｂとを該平面にて組み合わせ該筒状部材を形成した状態でブッシュ４１は把持本体部３３の内部空間に配設されている。なお、ブッシュ４１ａとブッシュ４１ｂとが合わさった状態の理解を容易にするため、図６及び図７においてはブッシュ４１ａとブッシュ４１ｂとの合わせ目４９を拡大して図示している。
【００２２】
把持本体部３３は、両端が開放された中空の筒状部材（ここではアルミニウム製）であり、組み合わされた一対のブッシュ４１ａ、４１ｂを収容する内部空間を有している。具体的には、把持本体部３３の該内部空間は、直線Ｌを軸とする半径ｒｂａ１の大直円柱部分（大外周部を収容する）と、直線Ｌを軸とする半径ｒｂａ２の小直円柱部分（小外周部を収容する）と、を有している。また、把持本体部３３の外面は、直線Ｌを軸とする半径ｒ５の直円柱の側面と同様の外周面を構成している（但し、ｒ５＞ｒｂａ１）。把持本体部３３の一端側（直線Ｌに沿った両端のうち小直円柱部分が形成されている側）の外周面（半径はｒ５よりもやや小さくされている）には、直線Ｌを中心とする雄ねじ部分３４ａ（後述のキャップ部６１の内周面に螺設された雌ねじ部分６１ｂと螺合する）が形成されている。把持本体部３３の他端側（直線Ｌに沿った両端のうち大直円柱部分が形成されている側）の内周面には、直線Ｌを中心とする雌ねじ部分３４ｂ（後述のプラグ本体５３の外周面に螺設された雄ねじ部分５３ｂと螺合する）が形成されている。
【００２３】
プラグ５１は、把持本体部３３と同じ材質（ここではアルミニウム）で一体に形成されており、詳しくは、直線Ｌを軸とする中空の直円柱形状をなすプラグ本体５３と、直線Ｌを軸とする半径ｒ５の円盤状（高さの小さな直円柱状）をなし、プラグ本体５３の底の開口を塞ぐようにプラグ本体５３に取り付けられたプラグ蓋部５５と、を一体に有してなる。プラグ本体５３の外周面には、把持本体部３３の雌ねじ部分３４ｂに螺合する雄ねじ部分５３ｂが螺刻されている。
【００２４】
キャップ部６１は、直線Ｌを軸とする中空の半径ｒ５の直円柱形状をなす有蓋無底（一端が開放され他端は閉じられている）の形状をなしており、開放された端部近傍の内周面には、把持本体部３３の雄ねじ部分３４ａに螺合する雌ねじ部分６１ｂが螺刻されている。
【００２５】
以上のような本歯ブラシ１１は、図２に示すように、歯ブラシ本体２１の支持棒部２７の円錐台部分２７ａを下底（半径ｒ２）側から把持本体部３３の内部空間に挿入し、さらにブッシュ４１ａとブッシュ４１ｂとを把持本体部３３の雌ねじ部分３４ｂが形成された開口から把持本体部３３の内部空間に挿入し、ブッシュ４１の小内周部に円錐台部分２７ａを内嵌した状態になるようにブッシュ４１ａとブッシュ４１ｂとを組み合わせる。
次いで、把持本体部３３の雌ねじ部分３４ｂにプラグ５１の雄ねじ部分５３ｂを螺合させることで把持本体部３３にプラグ５１を取り付ける。この状態では図２に示すように、プラグ５１のプラグ本体５３の端面（プラグ蓋部５５とは反対側の面）がブッシュ４１（ブッシュ４１ａ、４１ｂ）の端面に略当接することで把持本体部３３の内部空間においてブッシュ４１（ブッシュ４１ａ、４１ｂ）の直線Ｌに沿った方向の位置が固定される。加えて、この状態では図２に示すように、歯ブラシ本体２１の支持棒部２７の円錐台部分２７ａ下底（半径ｒ２）がプラグ５１のプラグ蓋部５５に略当接することで把持本体部３３の内部空間において歯ブラシ本体２１がプラグ５１方向に移動することを規制する。
最後に、キャップ部６１の雌ねじ部分６１ｂを把持本体部３３の雄ねじ部分３４ａに螺合させ、キャップ部６１を把持本体部３３に取り付ける。
このようにして図１及び図２に示す本歯ブラシ１１を構成することができる。
【００２６】
図２、図５、図６及び図７に示す本歯ブラシ１１においては、ブッシュ４１（ブッシュ４１ａ、４１ｂ）の小内周部の内面と、小内周部に内嵌された円錐台部分２７ａの外面と、の間に隙間７１が存する。このためキャップ部６１を把持本体部３３から取り外した後、歯ブラシ本体２１を引っ張ると（図６中、矢印Ｍ方向）、ブッシュ４１（ブッシュ４１ａ、４１ｂ）の小内周部の内面と、小内周部に内嵌された円錐台部分２７ａの外面と、が当接するまで（隙間７１がなくなるまで）歯ブラシ本体２１を引き出す（図６中、矢印Ｍ方向）ことができる。
図８は、図６の状態から歯ブラシ本体２１を一杯に引き出したところ（図６中、矢印Ｍ方向）を示しており、図９は図８の断面図（詳しくは、図９（ａ）は図８のＡ−Ａ断面図であり、図９（ｂ）は図８のＢ−Ｂ断面図である。）である。図８及び図９に示した状態では、図６及び図７の状態から歯ブラシ本体２１を引き出すことで、ブッシュ４１（ブッシュ４１ａ、４１ｂ）の小内周部に内嵌される円錐台部分２７ａの部分が、図６及び図７の状態のときよりも太い部分（半径ｒ２の下底に近い方向に存する部分）になっており、ブッシュ４１（ブッシュ４１ａ、４１ｂ）の小内周部の内面と、小内周部に内嵌された円錐台部分２７ａの外面と、が当接し、図６及び図７の状態においては存在していた隙間７１がなくなっている（図８及び図９において小内周部に内嵌されている円錐台部分２７ａの部分は、上底の半径ｒｂｂ２ａ及び下底の半径ｒｂｂ２ｂの直線Ｌを軸とする（直）円錐台形状（小内周部と略同じ形状）をしている。）。このようにブッシュ４１（ブッシュ４１ａ、４１ｂ）の小内周部の内面と、小内周部に内嵌された円錐台部分２７ａの外面と、が面接触することで、把持部３１に対して歯ブラシ本体２１がさらに引き出されることを防止すると共に、把持部３１に対して歯ブラシ本体２１が確実に固定される。
図８及び図９のように把持部３１に対して歯ブラシ本体２１が固定された状態で、本歯ブラシ１１を歯磨きに使用することができ、歯磨の後、ブラシ毛２３やヘッド部２５を洗浄し、歯ブラシ本体２１を引っ込める（図８中、矢印Ｎ方向）ことで再び図６及び図７の状態にすることができる。その後、キャップ部６１を把持本体部３３に取り付け本歯ブラシ１１を携帯すればよい。
【００２７】
歯ブラシ本体２１を交換するには、キャップ部６１及びプラグ５１を把持本体部３３から取り外した後、図１０に示すように、ブッシュ４１（ブッシュ４１ａ、４１ｂ）を把持本体部３３の雌ねじ部分３４ｂが形成された開口（開口３３ｈ）から抜き取り、そして歯ブラシ本体２１を図１０における矢印Ｋ方向に抜き取ればよい。その後、新しい歯ブラシ本体２１の支持棒部２７の円錐台部分２７ａを下底（半径ｒ２）側から把持本体部３３の内部空間に挿入し、さらにブッシュ４１ａとブッシュ４１ｂとを把持本体部３３の雌ねじ部分３４ｂが形成された開口３３ｈから把持本体部３３の内部空間に挿入し、小内周部に円錐台部分２７ａを内嵌した状態になるようにブッシュ４１ａとブッシュ４１ｂとを図２のように組み合わせる。その後、キャップ部６１及びプラグ５１を把持本体部３３に取り付けることで歯ブラシ本体２１を交換することができる。
なお、円錐台部分２７ａが小内周部に内嵌されたブッシュ４１（ブッシュ４１ａ、４１ｂ）を把持本体部３３の雌ねじ部分３４ｂが形成された開口３３ｈから抜き取ったり再び該開口３３ｈから把持本体部３３の内部空間に挿入し小内周部に円錐台部分２７ａを内嵌する際には、柔軟性を有する樹脂材料により形成されたブッシュ４１（ブッシュ４１ａ、４１ｂ）を多少変形（弾性変形）させて行えばよい。
【００２８】
以上説明したように本歯ブラシ１１は、ブラシ毛２３が植設されたヘッド部２５と、先端にヘッド部２５が取り付けられた棒状の支持棒部２７と、を有してなる歯ブラシ本体２１と、内部空間３６を有する中空の把持部３１であって、支持棒部２７の基端（ここでは半径ｒ２の下底の端）が該内部空間３６に収容されると共にヘッド部２５が突出した状態で支持棒部２７をスライド可能（図６と図８との間でスライド自在である）に貫通させる貫通孔（ここではブッシュ４１ａ、４１ｂが組み合わされて形成されるブッシュ４１の小内周部が規定する孔）を有する把持部３１と、支持棒部２７が貫通孔（ブッシュ４１の小内周部が規定する孔）に対する少なくともいずれかのスライド位置（ここでは最も引っ込んだ図２のスライド位置）において貫通孔（ブッシュ４１の小内周部が規定する孔）から突出した歯ブラシ本体２１の部分を覆う、把持部３１に着脱自在に取り付けられるキャップ部６１と、を備えてなる、携帯用歯ブラシである。
【００２９】
本歯ブラシ１１においては、支持棒部２７が貫通孔（ブッシュ４１の小内周部が規定する孔）に対する所定のスライド位置（ここでは最も突出した図８及び図９のスライド位置）において、支持棒部２７が把持部３１に対して固定されるものである。
本歯ブラシ１１においては、支持棒部２７が、先端方向（ヘッド部２５の方向）に向かって幅（ここでは径）が先細りとなる先細部分（ここでは円錐台部分２７ａ）を有してなり、前記所定のスライド位置（ここでは最も突出した図８及び図９のスライド位置）において、貫通孔（ブッシュ４１の小内周部が規定する孔）の内面（ブッシュ４１の小内周部）が先細部分（円錐台部分２７ａ）に当接し、先細部分（円錐台部分２７ａ）が貫通孔（ブッシュ４１の小内周部が規定する孔）に対してさらに先端方向（ヘッド部２５方向）に移動することを禁止するものである。
本歯ブラシ１１においては、前記所定のスライド位置（ここでは最も突出した図８及び図９のスライド位置）において、貫通孔（ブッシュ４１の小内周部が規定する孔）の内面（ブッシュ４１の小内周部）が支持棒部２７の外面（ここでは先細部分（円錐台部分２７ａ）の外面）に面接触するものである。
【００３０】
本歯ブラシ１１においては、把持部３１が、貫通孔（ブッシュ４１の小内周部が規定する孔）の内面（ブッシュ４１の小内周部）を形成し支持棒部２７に貫脱可能なスリーブ（ここではブッシュ４１のうち小内周部を内面に有する部分）と、支持棒部２７が貫通したスリーブ（ブッシュ４１のうち小内周部を内面に有する部分）を着脱自在に内嵌する嵌入孔（ここでは把持本体部３３の内部空間のうち、直線Ｌを軸とする半径ｒｂａ２の小直円柱部分）を有する本体部（ここでは把持本体部３３）と、を含んでなり、嵌入孔（把持本体部３３の内部空間のうち、直線Ｌを軸とする半径ｒｂａ２の小直円柱部分である。図１０中にて嵌入孔３８として示す。）からスリーブ（ブッシュ４１のうち小内周部を内面に有する部分）を取り外した状態（図１０の状態）において、支持棒部２７が嵌入孔３８から抜き取り可能（図１０中、矢印Ｋ方向）なものである。
本歯ブラシ１１においては、スリーブ（ブッシュ４１のうち小内周部を内面に有する部分）が、スリーブ（ブッシュ４１のうち小内周部を内面に有する部分）に貫入される支持棒部２７が連続する方向（直線Ｌに沿った方向）に形成された分断部分（ブッシュ４１ａ、４１ｂの合わせ目４９が該当する）を少なくとも１以上（ここでは２）有するものである。
本歯ブラシ１１においては、把持部３１が、スリーブ（ブッシュ４１のうち小内周部を内面に有する部分）を前記内部空間３６から抜き取ることができる前記内部空間３６と外部空間３７とを連通させる連通口（把持本体部３３の雌ねじ部分３４ｂが形成された開口。図５中では開口３３ｈ。）を有してなる。
また、本歯ブラシ１１においては、連通口（把持本体部３３の雌ねじ部分３４ｂが形成された開口３３ｈ）に着脱自在な開閉蓋（ここではプラグ５１）を把持部３１が有するものである。
本歯ブラシ１１においては、把持部３１とキャップ部６１とのいずれか一方（ここでは把持部３１）の外周面に形成された雄ネジ部（雄ねじ部分３４ａ）と、いずれか他方（ここではキャップ部６１）の内周面に形成された雌ネジ部（雌ねじ部分６１ｂ）と、が互いに螺合することで、把持部３１にキャップ部６１が着脱自在に取り付けられるものである。
【符号の説明】
【００３１】
１１                  本歯ブラシ
２１                  歯ブラシ本体
２３                  ブラシ毛
２５                  ヘッド部
２７                  支持棒部
２７ａ                円錐台部分
２７ｂ                連結部分
３１                  把持部
３３                  把持本体部
３３ｈ                開口
３４ａ                雄ねじ部分
３４ｂ                雌ねじ部分
３６                  内部空間
３７                  外部空間
３８                  嵌入孔
４１、４１ａ、４１ｂ  ブッシュ
４９                  合わせ目
５１                  プラグ
５３                  プラグ本体
５３ｂ                雄ねじ部分
５５                  プラグ蓋部
６１                  キャップ部
６１ｂ                雌ねじ部分
７１                  隙間
【図１】
0003159578.tif 000003
【図２】
0003159578.tif 000004
【図３】
0003159578.tif 000005
【図４】
0003159578.tif 000006
【図５】
0003159578.tif 000007
【図６】
0003159578.tif 000008
【図７】
0003159578.tif 000009
【図８】
0003159578.tif 000010
【図９】
0003159578.tif 000011
【図１０】
0003159578.tif 000012